(57)【特許請求の範囲】
【請求項１】
成長過程にある者の体重データを取得する体重データ取得手段と、
前記成長過程にある者の身長データを取得する身長データ取得手段と、
前記体重データ取得手段で取得された体重データと前記身長データ取得手段で取得された身長データとを継続的に記憶する取得データ記憶手段と、
成長過程における期間の体重及び身長の基準的な成長範囲として求められた基準成長範囲データを記憶する基準成長範囲データ記憶手段と、
体重及び身長を縦軸、成長過程における期間を横軸とし、前記基準成長範囲データ記憶手段に記憶された基準成長範囲データに前記取得データ記憶手段に記憶された体重データ及び身長データを対応付けしたグラフを表示するグラフ表示手段と、
を備える成長過程グラフ表示機能付き生体情報管理装置において、
前記基準成長範囲データは、成長過程における期間を上下区間で表される体重の基準的な成長範囲と、成長過程における期間を上下区間で表される身長の基準的な成長範囲とにより成るものであり、
前記グラフ表示手段は、前記横軸方向に移動させることが可能なカーソルを表示し、前記カーソルを前記横軸方向に移動させた際に、この移動に対応して、横軸方向にスクロールすると共に、移動した箇所の体重データと身長データとが画面内に入るように縦軸方向にもスクロールする、
ことを特徴とする成長過程グラフ表示機能付き生体情報管理装置。
【請求項２】
前記グラフ表示手段は、前記カーソルを移動させた際に、その移動させた位置に対応するグラフ上の地点の体重データと身長データとの値を、前記グラフ上の地点を指示しながら前記グラフ上の地点の近辺に表示する、
ことを特徴とする請求項１記載の成長過程グラフ表示機能付き生体情報管理装置。
【発明の詳細な説明】
【０００１】
【発明の属する技術分野】
本発明は、成長過程にある対象者の体重や身長の成長傾向を基準的な体重や身長の成長傾向と対比して認識できる成長過程グラフ表示機能付き生体情報管理装置に関する。
【０００２】
【従来の技術】
従来から、体重記憶手段に記憶された対象者の体重を時系列的にグラフ化して表示手段に表示する装置（特開平９−２１６８９号公報参照）等を用い、対象者の体重変化の傾向から食生活管理や健康管理を行うことが提案されてきた。
【０００３】
【発明が解決しようとする課題】
しかしながら、上述した装置等は、グラフ化された対象者の体重変化の傾向と基準的な体重変化の傾向とを視覚的に対比して認識できなかった。また、子供のときに肥満であると大人になっても肥満となることが多いことから、身長及び体重の成長が著しい過程にある段階において、身長及び体重変化の傾向を管理することが重要視されるようになってきた。
【０００４】
そこで、本発明は、上記のような事情に鑑み、身長及び体重の成長が著しい過程にある対象者の身長や体重の成長傾向を基準的な身長や体重の成長傾向と対比して視覚的に認識できる成長過程グラフ表示機能付き生体情報管理装置を提供することを課題とする。
【０００５】
【課題を解決するための手段】
上記目的を達成するために、本発明の成長過程グラフ表示機能付き生体情報管理装置は、成長過程にある者の体重データを取得する体重データ取得手段と、前記体重データ取得手段で取得された体重データを取得データとして継続的に記憶する取得データ記憶手段と、成長過程における期間の体重の基準的な成長範囲として求められた基準成長範囲データを記憶する基準成長範囲データ記憶手段と、前記基準成長範囲データ記憶手段に記憶された基準成長範囲データに前記取得データ記憶手段に記憶された取得データを対応付けしたグラフを表示するグラフ表示手段とを備えることを特徴とする。
【０００６】
また、成長過程にある者の身長データを取得する身長データ取得手段と、前記身長データ取得手段で取得された身長データを取得データとして継続的に記憶する取得データ記憶手段と、成長過程における期間の身長の基準的な成長範囲として求められた基準成長範囲データを記憶する基準成長範囲データ記憶手段と、前記基準成長範囲データ記憶手段に記憶された基準成長範囲データに前記取得データ記憶手段に記憶された取得データを対応付けしたグラフを表示するグラフ表示手段とを備えることを特徴とする。
【０００７】
また、成長過程にある者の体重データを取得する体重データ取得手段と、前記成長過程にある者の身長データを取得する身長データ取得手段と、前記体重データ取得手段で取得された体重データと前記身長データ取得手段で取得された身長データとを取得データとして継続的に記憶する取得データ記憶手段と、成長過程における期間の体重及び身長の基準的な成長範囲として求められた基準成長範囲データを記憶する基準成長範囲データ記憶手段と、前記基準成長範囲データ記憶手段に記憶された基準成長範囲データに前記取得データ記憶手段に記憶された取得データを対応付けしたグラフを表示するグラフ表示手段とを備えることを特徴とする。
【０００８】
これらによると、基準成長範囲データ記憶手段に記憶された基準成長範囲データに取得データ記憶手段に記憶された取得データを対応付けしたグラフがグラフ表示手段に表示されるので、基準成長範囲データに対して取得データがどのような成長状況にあるのかを一見して対比して認識することができる。
【０００９】
また、前記取得データを取得した時点を特定する取得時点特定手段を更に備え、前記取得データ記憶手段は、前記取得時点特定手段で特定された取得データを取得した時点が成長を管理する時点に該当する場合に取得データを継続的に記憶することを特徴とする。これによると、取得データ記憶手段には成長を管理する時点に該当する取得データだけが記憶されるので、多くの取得データを記憶することができる。
【００１０】
また、前記基準成長範囲データ記憶手段に記憶される基準成長範囲データの成長過程における期間は、出生後から７歳未満までの期間であることを特徴とする。これによると、早期の成長段階のうちにどのような成長状況であるのかを一見して対比して視覚的に認識することができる。
【００１１】
また、前記基準成長範囲データ記憶手段に記憶される基準成長範囲データの成長過程における期間は、出生後から１歳までの期間であることを特徴とする。これによると、特に体重や身長の成長が著しい乳児期の段階のうちにどのような成長状況であるのかを一見して対比して視覚的に認識することができる。
【００１２】
また、前記成長を管理する時点は、出生時から１歳までの期間においては週毎とし、１歳を超えてからの期間においては月毎とすることを特徴とする。これによると、出生時から１歳までの期間である乳児期だけの成長を管理する時点の周期を短くすることにより、多くの取得データの記憶を可能としつつ、特に体重や身長の成長が著しい乳児期についての成長状況を早期に克明な把握を可能とする。
【００１３】
また、前記グラフ表示手段は、取得データを縦軸、出生時からの期間を横軸とし、縦軸及び横軸の方向にスクロールするグラフを表示することを特徴とする。これによると、グラフが縦軸及び横軸の方向にスクロールするのでグラフ表示手段の表示画面が小さくても成長を管理するための期間全体に渡るグラフを適度の大きさで見ることが可能となる。
【００１４】
また、前記グラフ表示手段は、成長を管理する時点を指定した際に、前記指定した成長を管理する時点に該当する取得データを表示することを特徴とする。これによると、指定した成長を管理する時点に該当する取得データが表示されるので、目盛を追わずに知りたい成長を管理する時点の取得データについて把握することができる。
【００１５】
【発明の実施の形態】
以下、本発明の実施の形態について図面を用いて説明する。
【００１６】
まず、初めに、図１に本発明に係わる成長過程グラフ表示機能付き生体情報管理装置の構成をブロック図で示す。また、図２にその外観を平面図で示す。本発明の成長過程グラフ表示機能付き生体情報管理装置１は、大別すると、測定部２とコントロール部３とにより構成する。
【００１７】
測定部２は、対象者の体重データを取得する体重データ取得手段であり、体重データを検出する体重検出部４、測定部２に電源を投入するための第１電源スイッチ５、第１電源スイッチ５の開閉に応じて測定部２に電力を供給する第１電源６、コントロール部３の第２通信部１４との間でデータの通信をする第１通信部７、これら各部の動作の制御や演算処理を行う第１ＣＰＵ８等から成る。
【００１８】
コントロール部３は、設定スイッチ９、記憶部１０、表示部１１、コントロール部３に電源を投入するための第２電源スイッチ１２、第２電源スイッチ１２の開閉に応じてコントロール部３に電力を供給する第２電源１３、測定部２の第１通信部７との間でデータの通信をする第２通信部１４、これら各部の動作の制御や演算処理を行う第２ＣＰＵ１５等から成る。
【００１９】
そして、このコントロール部３における設定スイッチ９では、名前・生年月日・性別等の対象者の個人情報の入力設定や表示部１１に表示されるグラフの操作等を行う。また、設定スイッチ９は、対象者の身長データを取得する身長データ取得手段１６でもあり、身長データを入力設定することにより対象者の身長データを取得する。更に、設定スイッチ９は、体重データと身長データとを取得データとして取得した時点を特定する取得時点特定手段１７でもあり、測定日付・時刻を入力設定することにより体重データと身長データを取得した時点を特定する。
【００２０】
また、記憶部１０では、取得データ記憶手段１８と基準成長範囲データ記憶手段１９とを備える。取得データ記憶手段１８では、体重データ取得手段で取得される体重データ、すなわち測定部２から送信されてきた体重データと、身長データ取得手段１６で取得される身長データ、すなわち設定スイッチ９から入力設定された身長データとを取得データとして継続的に記憶する。基準成長範囲データ記憶手段１９では、出生後から７歳未満までの過程における多くの者を対象として採取した体重データ及び身長データを基に、出生後から７歳未満までの期間の体重及び身長の標準的な成長範囲として求められた基準成長範囲データを予め記憶する。
【００２１】
また、表示部１１では、設定スイッチ９で入力設定された対象者の個人情報、身長データ、測定部２から送信されてきた体重データ等を表示する。また、表示部１１は、前記基準成長範囲データ記憶手段１９に記憶された基準成長範囲データに取得データ記憶手段１８に記憶された取得データを対応付けしたグラフを表示するグラフ表示手段２０でもある。
【００２２】
次に、図３に本発明に係わる成長過程グラフ表示機能付き生体情報管理装置の操作及び動作の手順を示すフローチャートを用いて、本発明の操作及び動作について説明するが、説明は、測定部２とコントロール部３とに分けずに行う。まず、本発明の成長過程グラフ表示機能付き生体情報管理装置１は、測定部２の第１電源スイッチ５とコントロール部３の第２電源スイッチ１２とを閉じることにより動作を開始する（ステップ１）。
【００２３】
続いて、測定日時・時刻を入力設定するための画面が表示部１１に表示されるので、取得時点特定手段１７としての設定スイッチ９により測定日時・時刻を入力設定する（ステップ２）。
【００２４】
続いて、初めて登録する対象者である（「はい」）か否（「いいえ」）かの問合せの画面が表示部１１に表示されるので（ステップ３）、初めて登録する対象者であれば、「はい」を選択し（ステップ３でＹＥＳ）、表示部１１に表示される画面に従って名前・生年月日・性別等の対象者の個人情報を入力設定する（ステップ１４）。
【００２５】
また、初めて登録する対象者でなければ、「いいえ」を選択し（ステップ３でＮＯ）、対象者選択のための画面（例えば、過去に登録されている対象者のリストを表す画面）が表示部１１に表示されるので、その中から該当する対象者を選択する（ステップ４）。
【００２６】
続いて、対象者の身長を入力設定するための画面が表示部１１に表示されるので、対象者の測定時における身長データを身長データ取得手段１６としての設定スイッチ９により入力設定する（ステップ５）。このとき、設定スイッチ９により入力設定された身長データは取得データ記憶手段１８に一時的に記憶される。
【００２７】
続いて、対象者の体重を測定するための画面が表示部１１に表示されるので、対象者の体重データを体重データ取得手段である測定部２により測定する（ステップ６）。
【００２８】
続いて、測定部２による体重の測定が終了すると、このときの体重データは取得データ記憶手段１８に一時的に記憶される。そして、第２ＣＰＵ１５では、ステップ２において入力設定された測定日付と、ステップ１４において入力された生年月日とから対象者の年齢を演算し、７歳未満であるか否かを判定する（ステップ７）。このとき、年齢は、１歳以下である場合には週単位、１歳を超える場合には月単位まで求める。
【００２９】
対象者の年齢が７歳未満でない場合（ステップ７でＮＯ）には、肥満度（％）を演算する（ステップ８）。なお、肥満度（％）は、（測定体重（kg）−身長２（m）×２２）÷（身長２（m）×２２）×１００の計算式により求められる。
【００３０】
次に、表示部１１には、図４の表示例に示すように、第２ＣＰＵ１５において演算された肥満度（％）と、この肥満度に対する評価コメントと、対象者のキャラクターと、対象者の名前（陸君）とが表示される（ステップ９）。なお、評価コメントは、肥満度が＋１５％以上＋２０％未満の時には「太り気味」、肥満度が＋２０％以上＋３０％未満の時には「やや太り気味」、肥満度が３０％以上の時には「太り過ぎ」、肥満度が−１５％以下の時には「やせ」と表示される。
【００３１】
次に、第２ＣＰＵ１５では、取得データ記憶手段１８に過去の取得データがあるか否かを判定し（ステップ１０）、過去の取得データがある場合（ステップ１０でＹＥＳ）には、図４の表示例に示すように、今回の取得データ（今回の体重データａ、今回の身長データｂ）を含めた過去の取得データの履歴をグラフ化して表示部１１に表示する（ステップ１１）。
【００３２】
一方、対象者の年齢が７歳未満である場合（ステップ７でＹＥＳ）には、基準成長範囲データ記憶手段１９に予め記憶されている基準成長範囲データをグラフ化した発育曲線グラフが表示部１１に表示される（ステップ１５）。このときの表示部１１に表示される発育曲線グラフは、図５の表示例に示すように、体重や身長を表す縦軸、出生時からの期間を表す横軸とする画面に、出生時からの期間を体重や身長の標準的な成長範囲（体重の発育曲線グラフはＷの範囲、身長の発育曲線グラフはＨの範囲）として表される。また、同時に今回の取得データ、対象者のキャラクター、対象者の名前（海君）も表示部１１に表示される。
【００３３】
次に、第２ＣＰＵ１５では、取得データ記憶手段１８に継続的に記憶されている過去の取得データがあるか否かを判定し（ステップ１６）、過去の取得データがある場合（ステップ１６でＹＥＳ）には、図５の表示例に示すように、発育曲線グラフが表示される表示部１１に取得データ記憶手段１８に継続的に記憶されている過去の取得データを重ねて表示する（ステップ１７）。すなわち、このときの表示部１１に表示されるグラフは、基準成長範囲データ記憶手段１９に予め記憶された基準成長範囲データに取得データ記憶手段１８に記憶された過去の取得データが対応付けされたグラフの表示となる。
【００３４】
次に、ステップ１６において過去の取得データがない場合（ステップ１６でＮＯ）には、発育曲線グラフが表示される表示部１１に、取得データ記憶手段１８に一時的に記憶された今回の取得データだけを重ねて表示する。また、ステップ１７の後においては、図５の表示例に示すように、ステップ１７で表示されている過去の取得データに今回の取得データ（今回の体重データｄ、今回の身長データｃ）も含めて表示する（ステップ１８）。
【００３５】
続いて、ステップ１１の後及びステップ１８の後において、図５の表示例に示すような出生時からの期間を表す横軸に点灯するカーソルＰを設定スイッチ９で横軸方向に移動させることにより、表示部１１のグラフを表示する画面がカーソルＰの移動に対応して横軸方向にスクロールすると共に、カーソルＰを横軸方向に移動した箇所の体重や身長のグラフも画面内に入るように対応して縦軸方向にスクロールする。また、図５の表示例に示すように、横軸のカーソルＰが点灯する地点に対応するグラフ上の地点の体重データ（１０．１kg）や身長データ（７８cm）が、グラフ上の地点を指示しながら該当するグラフ上の近辺に表示される。
【００３６】
また、取得データ記憶手段１８に過去の取得データがない場合（ステップ１０でＮＯ）、ステップ１１の後、ステップ１８の後においては、取得データ記憶手段１８に記憶された取得データが成長を管理する時点に該当する場合であるかが判定される（ステップ１２）。すなわち、取得時点特定手段１７で特定された今回の取得データを取得した時点が、１歳以下である場合には出生時からちょうど何週目かに該当するか、あるいは、１歳を超える場合には出生時からちょうど何月目かに該当するかが判定される。
【００３７】
続いて、今回の取得データ、すなわちステップ７で求められた年齢が、成長を管理する時点に該当する場合（ステップ１２でＹＥＳ）には、今回の取得データを取得データ記憶手段１８に過去の取得データと共に継続的に記憶する（ステップ１３）。
【００３８】
続いて、今回の取得データを取得した時点が成長を管理する時点に該当しない場合（ステップ１２でＮＯ）又はステップ１３の後は、一連の手順を終了する（ステップ１９）。
【００３９】
上述したように、成長過程グラフ表示機能付き生体情報管理装置１では、出生後から７歳未満までの過程における多くの者を対象として採取した体重データ及び身長データを基に、出生後から７歳未満までの間の体重及び身長の標準的な成長範囲として求められた基準成長範囲データを発育曲線グラフ（Ｈ、Ｗ）として表わしたグラフ表示手段２０である表示部１１に、取得データ記憶手段１８に記憶された取得データを重ねることにより対応付けしてグラフ表示手段２０である表示部１１に表示することで、発育曲線グラフ（Ｈ、Ｗ）に対して取得データがどのような成長状況であるのかを一見して対比して認識することができる。特に、出生後から７歳未満までの期間の体重及び身長の標準的な成長範囲として求められた基準成長範囲データであるので、早期の成長段階のうちに認識することもできる。
【００４０】
また、取得時点特定手段１７としての設定スイッチ９から測定日時が入力設定されることにより求められた今回の取得データを取得した時点は、１歳以下である場合には出生時からちょうど何週目、あるいは１歳を超える場合には出生時からちょうど何月目であるかを示す成長を管理する時点に該当する場合に、取得データ記憶手段１８に継続的に記憶される。このように、出生時から１歳までの期間である乳児期だけの成長を管理する時点の周期を短かくしたことにより、多くの取得データの記憶を可能としつつ、特に体重や身長の成長が著しい乳児期についての成長状況を早期に克明な把握が可能となる。
【００４１】
また、出生時からの期間を表す横軸に点灯するカーソルＰを設定スイッチ９で横軸方向に移動させることによりグラフ表示手段２０である表示部１１のグラフを表示する画面は、カーソルＰの移動に対応して横軸方向にスクロールすると共に、カーソルＰを横軸方向に移動した箇所の体重や身長のグラフも画面内に入るように対応して縦軸方向にスクロールするので、グラフを表示する画面が小さくても成長を管理するための期間全体に渡るグラフを適度の大きさで見ることが可能となる。
【００４２】
また、点灯するカーソルＰを移動させた際、すなわち成長を管理する時点を指定した際に、この点灯するカーソルＰ位置に対応するグラフ上の地点の体重データや身長データ、すなわち指定した成長を管理する時点の箇所の取得データが、グラフ上の地点を指示しながら該当するグラフ上の近辺に表示されるので、目盛を追わずに知りたい成長を管理する時点の取得データについて把握することができる。
【００４３】
なお、上述における実施の形態では、基準成長範囲データは、出生後から７歳未満までの期間の体重及び身長の標準的な成長範囲としたが、出生後から１歳までの期間の体重及び身長の標準的な成長範囲としてもよく、このようにすれば、特に早期である体重や身長の成長が著しい乳児期の段階のうちにどのような成長状況であるのかを一見して対比して認識することができる。
【００４４】
また、上述における実施の形態では、測定部２での体重の測定により体重データを取得し、設定スイッチ９での身長の入力設定により身長データを取得する構成としたが、設定スイッチ９での体重の入力設定により体重データを取得し、測定部２での身長の測定により身長データを取得する構成としてもよい。また、体重データ及び身長データどちらも測定部２での測定あるいは設定スイッチ９での入力設定により取得する構成であっても同様に実施可能である。更に、体重データ又は身長データのどちらか一方しか具備しない構成であっても同様に実施可能である。
【００４５】
また、上述における実施の形態では、基準成長範囲データ記憶手段１９に予め記憶される基準成長範囲データを、出生後から７歳未満までの過程における多くの者を対象として採取した体重データ及び身長データをもとに、出生後から７歳未満までの期間の体重及び身長の標準的な成長範囲としたが、基準成長範囲データは、疾病率の少ない体重及び身長の基準的な成長範囲、その他の成長過程における期間の体重及び身長の基準的な成長範囲として求めたものであれば同様に実施可能である。
【００４６】
また、上述における実施の形態では、取得時点特定手段１７で特定された時点の取得データを取得データ記憶手段１８に継続的に記憶するが、計測毎の取得データを取得データ記憶手段１８にすべて記憶し、グラフ表示手段２０に表示されるグラフの横軸を出生時からの測定回数としても、使用の間隔を限定させることにより同様に実施可能である。
【００４７】
また、上述における実施の形態では、年齢が１歳以下である場合には週単位、年齢が１歳を超える場合には月単位で求め、それを成長を管理する時点としたが、年齢が１歳以下である場合には２週単位、年齢が１歳を超える場合には２月単位、あるいは、年齢が１歳以下である場合には日単位、年齢が１歳を超える場合には週単位等のその他の単位で求め、それを成長を管理する時点としても同様に実施可能である。また、切替スイッチを設けて、年齢が１歳以下である場合には週単位、年齢が１歳を超える場合には月単位であるものをその他の単位に切り替えるものであってもよい。
【００４８】
【発明の効果】
以上説明したように、本発明の成長過程グラフ表示機能付き生体情報管理装置は、基準成長範囲データに取得データを対応付けしたグラフがグラフ表示手段に表示されるので、基準成長範囲データに対して取得データがどのような成長状況にあるのかを一見して対比して視覚的に認識できる。
【００４９】
また、取得データ記憶手段には成長を管理する時点に該当する取得データだけが記憶されるので、多くの取得データを記憶することができる。
【００５０】
また、基準成長範囲データの成長過程における期間を出生後から７歳未満までの期間とすることで、早期の成長段階のうちにどのような成長状況であるのかを一見して対比して視覚的に認識することができる。
【００５１】
また、基準成長範囲データの成長過程における期間を出生後から１歳までの期間とすることで、特に体重や身長の成長が著しい乳児期の段階のうちにどのような成長状況であるのかを一見して対比して視覚的に認識することができる。
【００５２】
また、取得データ記憶手段で取得データを継続的に記憶するのに、出生時から１歳までの期間である乳児期だけの成長を管理する時点の周期を短くすることにより、多くの取得データの記憶を可能としつつ、特に体重や身長の成長が著しい乳児期についての成長状況を早期に克明な把握を可能とする。
【００５３】
また、グラフ表示手段における履歴を表すグラフが縦軸及び横軸の方向にスクロールするので、グラフ表示手段の表示画面が小さくても成長を管理するための期間全体に渡るグラフを適度の大きさで見ることが可能となる。
【００５４】
また、グラフ表示手段には、指定した成長を管理する時点に該当する取得データが表示されるので、目盛を追わずに知りたい成長を管理する時点の取得データについて把握することができる。
【図面の簡単な説明】
【図１】本発明に係わる成長過程グラフ表示機能付き生体情報管理装置の構成を示すブロック図である。
【図２】本発明に係わる成長過程グラフ表示機能付き生体情報管理装置の外観を示す平面図である。
【図３】本発明に係わる成長過程グラフ表示機能付き生体情報管理装置の操作及び動作の手順を示すフローチャートである。
【図４】本発明に係わる成長過程グラフ表示機能付き生体情報管理装置に表示される表示内容の一例である。
【図５】本発明に係わる成長過程グラフ表示機能付き生体情報管理装置に表示される表示内容の一例である。
【符号の説明】
１  成長過程グラフ表示機能付き生体情報管理装置
２  測定部（体重データ取得手段）
３  コントロール部
４  体重検出部
５  第１電源スイッチ
６  第１電源
７  第１通信部
８  第１ＣＰＵ
９  設定スイッチ
１０  記憶部
１１  表示部
１２  第２電源スイッチ
１３  第２電源
１４  第２通信部
１５  第２ＣＰＵ
１６  身長データ取得手段
１７  取得時点特定手段
１８  取得データ記憶手段
１９  基準成長範囲データ記憶手段
２０  グラフ表示手段
ａ、ｄ  今回の体重データ
ｂ、ｃ  今回の身長データ
Ｈ  身長の発育曲線グラフ
Ｗ  体重の発育曲線グラフ
Ｐ  カーソル
【図１】
0003874243.tif 000002
【図２】
0003874243.tif 000003
【図３】
0003874243.tif 000004
【図４】
0003874243.tif 000005
【図５】
0003874243.tif 000006